(57)【要約】【課題】被打対象物に対する打力を異ならせて打ち分けることができるラケットを提供すること。【解決手段】フレームと、グリップと、前記フレームと前記グリップとを連結するシャフトと、前記グリップに固定され前記シャフトの一部を前記シャフトの円周側から支持するキャップと、を備えるラケットであって、前記フレームの一方の面側における前記キャップの形状と、前記フレームの他方の面側における前記キャップの形状と、が前記フレームの面に対して非対称であることを特徴とするラケットである。【選択図】図２
2015023912.tif 000002
【特許請求の範囲】
【請求項１】
フレームと、グリップと、前記フレームと前記グリップとを連結するシャフトと、前記グリップに固定され前記シャフトの一部を前記シャフトの円周側から支持するキャップと、を備えるラケットであって、
前記フレームの一方の面側における前記キャップの形状と、前記フレームの他方の面側における前記キャップの形状と、が前記フレームの面に対して非対称であることを特徴とするラケット。
【請求項２】
請求項１に記載のラケットであって、
前記キャップにおいて、前記フレームの一方の面側であって前記フレーム側に切り欠きを有することを特徴とするラケット。
【請求項３】
請求項１又は２に記載のラケットであって、
前記フレームの一方の面側における前記キャップの断面形状と、前記フレームの他方の面側における前記キャップの断面形状と、が前記フレームの面に対して非対称であることを特徴とするラケット。
【請求項４】
請求項１乃至請求項３のいずれかに記載のラケットであって、
さらに、前記フレームの一方の面側における前記キャップの材料の配置と、前記フレームの他方の面側における前記キャップの材料の配置と、が前記フレームの面に対して非対称であることを特徴とするラケット。
【請求項５】
フレームと、グリップと、前記フレームと前記グリップとを連結するシャフトと、前記グリップに固定され前記シャフトの一部を前記シャフトの円周側から支持するキャップと、を備えるラケットであって、
前記フレームの一方の面側における前記キャップの材料の配置と、前記フレームの他方の面側における前記キャップの材料の配置と、が前記フレームの面に対して非対称であることを特徴とするラケット。
【発明の詳細な説明】
【技術分野】
【０００１】
本発明は、バドミントン等に使用されるラケットに関する。
【背景技術】
【０００２】
バドミントンは、正確な位置にシャトルを打ち落とすことが求められる競技である。正確な位置にシャトルを打ち落とす際、高速度でシャトルを打ち落とす場合もあれば、軽くシャトルをはじくようにする場合もある。
【０００３】
なお、特許文献１には、カーボンナノチューブを含むカーボンファイバープリプレグ成形体を有するバドミントンラケットが開示されている。
【先行技術文献】
【特許文献】
【０００４】
【特許文献１】特開２０１２−１４７８４６号公報
【発明の概要】
【発明が解決しようとする課題】
【０００５】
スマッシュなどでシャトルを打ち落とす場合には、シャトルの勢いが増すように打ち返すことが有利である。一方、軽くシャトルをはじく場合には、シャトルの勢いを殺すように打ち返す必要がある。よって、一つのラケットでシャトル等の被打対象物に対する打力を異ならせて打ち分けることができることが望まれる。
【０００６】
本発明は、かかる事情に鑑みてなされたものであり、その目的とするところは、被打対象物に対する打力を異ならせて打ち分けることができるラケットを提供することである。
【課題を解決するための手段】
【０００７】
上記目的を達成するための主たる発明は、フレームと、グリップと、前記フレームと前記グリップとを連結するシャフトと、前記グリップに固定され前記シャフトの一部を前記シャフトの円周側から支持するキャップと、を備えるラケットであって、前記フレームの一方の面側における前記キャップの形状と、前記フレームの他方の面側における前記キャップの形状と、が前記フレームの面に対して非対称であることを特徴とするラケットである。
【０００８】
本発明の他の特徴については、本明細書及び図面の記載により明らかにする。
【発明の効果】
【０００９】
本発明のラケットによれば、フレームの一方の面側におけるキャップの形状と、フレームの他方の面側におけるキャップの形状と、がフレームの面に対して非対称であるので、シャフトを支持するキャップの剛性も、フレームの一方の面側とフレームの他方の面側とで非対称となる。そのため、一方の面で被打対象物を打つときと、他方の面で被打対象物を打つときとでは、シャフト自体の変形量が異なる。変形量が異なればその反発力も異なることとなるので、このように変形量を異ならせることによって、一方の面側で打つときと他方の面側で打つときとで被打対象物に対する打力を異ならせることができる。すなわち、被打対象物に対する打力を異ならせて打ち分けることができるラケットを提供することができる。
【図面の簡単な説明】
【００１０】
【図１】図１Ａは第１実施形態におけるバドミントンラケット１の正面図であり、図１Ｂは第１実施形態におけるバドミントンラケット１の側面図である。
【図２】図２Ａは、拡大したキャップ５０の正面図であり、図２Ｂは、拡大したキャップ５０の側面図である。
【図３】第１実施形態におけるシャフトの変形の様子を説明する図である。
【図４】図４Ａは、第２実施形態におけるラケット２０１の一部正面図であり、図４Ｂは、第２実施形態におけるキャップ２５０の断面図である。
【図５】第３実施形態におけるキャップ３５０の拡大図である。
【図６】第４実施形態におけるキャップ４５０の側面図である。
【発明を実施するための形態】
【００１１】
＝＝＝開示の概要＝＝＝
本明細書及び図面の記載により、少なくとも、以下の事項が明らかとなる。
【００１２】
すなわち、フレームと、グリップと、前記フレームと前記グリップとを連結するシャフトと、前記グリップに固定され前記シャフトの一部を前記シャフトの円周側から支持するキャップと、を備えるラケットであって、前記フレームの一方の面側における前記キャップの形状と、前記フレームの他方の面側における前記キャップの形状と、が前記フレームの面に対して非対称であることを特徴とするラケットである。
【００１３】
このようなラケットによれば、フレームの一方の面側におけるキャップの形状と、フレームの他方の面側におけるキャップの形状と、がフレームの面に対して非対称であるので、シャフトを支持するキャップの剛性も、フレームの一方の面側とフレームの他方の面側とで非対称となる。そのため、一方の面で被打対象物を打つときと、他方の面で被打対象物を打つときとでは、シャフト自体の変形量が異なる。変形量が異なればその反発力も異なることとなるので、このように変形量を異ならせることによって、一方の面側で打つときと他方の面側で打つときとで被打対象物に対する打力を異ならせることができる。すなわち、被打対象物に対する打力を異ならせて打ち分けることができるラケットを提供することができる。
【００１４】
かかるラケットであって、前記キャップにおいて、前記フレームの一方の面側であって前記フレーム側に切り欠きを有することを特徴とするラケットである。  
このようなラケットによれば、キャップにおいてフレーム側に切り欠きを設けることとするので、フレームの一方の面側におけるキャップの形状と、フレームの他方の面側におけるキャップの形状と、をフレームの面に対して非対称とすることができる。そして、一方の面で打つときと他方の面で打つときとで被打対象物に対する打力を異ならせて打ち分けることができる。
【００１５】
かかるラケットであって、前記フレームの一方の面側における前記キャップの断面形状と、前記フレームの他方の面側における前記キャップの断面形状と、が前記フレームの面に対して非対称であることを特徴とするラケットである。  
このようなラケットによれば、フレームの一方の面側におけるキャップの断面形状と、フレームの他方の面側におけるキャップの断面形状と、をフレームの面に対して非対称とするので、キャップに円周を支持されるシャフト自体の変形量をフレームの一方の面側にしなる場合とフレームの他方の面側にしなる場合とで異ならせることができる。そして、一方の面で打つときと他方の面で打つときとで被打対象物に対する打力を異ならせて打ち分けることができる。
【００１６】
かかるラケットであって、さらに、前記フレームの一方の面側における前記キャップの材料の配置と、前記フレームの他方の面側における前記キャップの材料の配置と、が前記フレームの面に対して非対称であることを特徴とするラケットである。  
このようなラケットによれば、フレームの一方の面側におけるキャップの材料の配置と、フレームの他方の面側におけるキャップの材料の配置と、をフレームの面に対して非対称とするので、キャップに円周を支持されるシャフト自体の変形量を異ならせることができる。そして、一方の面で打つときと他方の面で打つときとで被打対象物に対する打力を異ならせて打ち分けることができる。
【００１７】
また、本明細書及び図面の記載により、少なくとも、以下の事項も明らかとなる。  
すなわち、フレームと、グリップと、前記フレームと前記グリップとを連結するシャフトと、前記グリップに固定され前記シャフトの一部を前記シャフトの円周側から支持するキャップと、を備えるラケットであって、前記フレームの一方の面側における前記キャップの材料の配置と、前記フレームの他方の面側における前記キャップの材料の配置と、が前記フレームの面に対して非対称であることを特徴とするラケット。  
このようなラケットによれば、フレームの一方の面側におけるキャップの材料の配置と、フレームの他方の面側におけるキャップの材料の配置と、がフレームの面に対して非対称のものとなる。そのため、一方の面で被打対象物を打つときと、他方の面で被打対象物を打つときとでは、シャフト自体の変形量が異なる。変形量が異なればその反発力も異なることとなるので、このように変形量を異ならせることによって、一方の面で打つときと他方の面で打つときとで被打対象物に対する打力を異ならせることができる。そして、被打対象物に対する打力を異ならせて打ち分けることができるラケットを提供することができる。
【００１８】
＝＝＝第１実施形態＝＝＝
以下、第１実施形態に係るラケットとして、バドミントン用ラケットを例に説明する。
【００１９】
図１Ａは、第１実施形態におけるバドミントンラケット１の正面図であり、図１Ｂは第１実施形態におけるバドミントンラケット１の側面図である。
【００２０】
バドミントンラケット１（以下、「ラケット１」ということがある）は、環状のフレーム１０と、プレーヤーに把持されるグリップ３０と、フレーム１０とグリップ３０とを連結するシャフト２０とを備える。また、ラケット１は、キャップ５０を備える。キャップ５０は、グリップ３０に固定され、シャフト２０の下方一部をシャフト２０の円周側から支持する。また、ラケット１のフレーム１０には、ストリング４０が張ってある。
【００２１】
グリップ３０の上面側には、シャフト２０を挿通して固定するための挿通孔が設けられている。そして、シャフト２０の根元部分はグリップ３０の挿通孔に挿通されるとともに、接着剤等により固定される。すなわち、シャフト２０の根元はグリップ３０によって支持されることになる。
【００２２】
また、キャップ５０の底面側にはグリップ３０の先端の一部が挿入され、両者は接着剤及びテープにより固定される。また、キャップ５０にもシャフト２０が通る挿通孔が設けられているが、シャフト２０を通る挿通孔の内壁がシャフト２０の一部をその円周側から支持する。
【００２３】
そして、第１実施形態におけるラケット１は、キャップ５０の形状が側面視（図１Ｂ）において非対称の形状となっている。言い換えると、フレーム１０のＡ面側におけるキャップ５０の形状と、フレーム１０のＢ面側におけるキャップ５０の形状と、がフレーム１０の面に対して非対称であるといえる。
【００２４】
図２Ａは、拡大したキャップ５０の正面図である。図２Ｂは、拡大したキャップ５０の側面図である。図２Ａ及び図２Ｂを参照すると分かるとおり、キャップ５０において、円錐の先端側（フレーム１０側）であって、フレーム１０の一方の面側にシャフトの軸方向に延びる切り欠きを有している。このようにすることで、フレーム１０のＡ面側におけるキャップ５０の形状と、フレーム１０のＢ面側におけるキャップ５０の形状と、をフレーム１０の面に対して非対称にすることができる。そして、シャフト２０を支持するキャップ５０の剛性も、フレーム１０のＡ面側とフレーム１０のＢ面側とでフレーム１０の面に対して非対称とすることができる。
【００２５】
なお、この実施形態のラケット１において、説明の便宜上、キャップ５０の切り欠きがなされている側をＡ面とし、キャップ５０の切り欠きがなされていない面をＢ面とする。
【００２６】
図３は、第１実施形態におけるシャフトの変形の様子を説明する図である。図３において、左側にはフレーム１０のＡ面側に力が加わったときのラケット１が示され、右側にはフレーム１０のＢ面側に力が加わったときのラケット１が示されている。そして、フレーム１０に加わる力は同一の条件であるものとし、このときシャフト２０が変形したときの変形量をそれぞれｄ１及びｄ２として示している。なお、フレーム１０に加わる力には、シャトルがフレーム１０に接触するときに加わる力や、ラケット１を振り抜いた際にフレーム１０が受ける慣性力がある。また、図３に示す変形であるが、分かりやすいように誇張して描かれている。
【００２７】
図３に示されるように、変形量ｄ２は変形量ｄ１よりも大きい。すなわち、フレーム１０のＢ面側から力が加わったときの方が、フレーム１０のＡ面側から力が加わったときよりも変形量は大きくなっている。これは、キャップ５０のＡ面側上部においてシャフト２０の円周方向を支持する部分が切りかかれているためであり、剛性が低くされている分、シャフト２０が余計にＡ面側にしなるように変形可能となっているからである。
【００２８】
ラケット１を振り抜くとシャフト２０が変形するが、Ａ面側でシャトルを打つように振り抜くときとＢ面側でシャトルを打つように振り抜くときとでは、このようにシャフト２０自体の変形量が異なることとなるので、Ａ面側で打つときとＢ面側で打つときとでシャトルに対する打力を異ならせることができる。
【００２９】
具体的には、シャトルの速度を殺して、はじくように打ちたい場合には、ラケット１のＡ面側でシャトルを打つ。Ａ面側でシャトルを打つようにラケット１を振ると、シャフト２０が小さく変形する。変形が小さい分、ラケット１によるシャトルに対する打力が小さいので、シャトルの勢いを殺すように打つことができる。
【００３０】
一方、スマッシュ等のようにシャトルの速度を増すようにして打ちたい場合には、ラケット１のＢ面側でシャトルを打つ。Ｂ面側でシャトルを打つようにラケット１を振ると、シャフト２０が大きく変形する。変形が大きい分、ラケット１によるシャトルに対する打力は大きくなるので、シャトルの勢いを増すように打つことができる。
【００３１】
＝＝＝第２実施形態＝＝
図４Ａは、第２実施形態におけるラケット２０１の一部正面図である。図４Ｂは、第２実施形態におけるキャップ２５０の断面図である。なお、第２実施形態では、第１実施形態のラケット１の各部位の符号に２００番台の番号を付すこととして説明を行う。
【００３２】
図４Ａ及び図４Ｂには、ラケット２０１のシャフト２２０の一部とグリップ２３０の一部とキャップ２５０が示されている。図４Ｂにおけるキャップ２５０の断面図は、図４ＡにおけるＡ−Ａ断面図である。そして、図４Ｂには、キャップ２５０の方向を示すべく、Ａ面側とＢ面側とが示されている。
【００３３】
第２実施形態におけるラケット２０１では、図４Ｂの断面図に示されるように、フレーム２１０のＡ面側におけるキャップ２５０の断面形状と、フレーム２１０のＢ面側におけるキャップ２５０の断面形状と、をフレーム２１０の面に対して非対称としている。そして、キャップ２５０のＢ面側の断面積はＡ面側の断面積よりも厚い。そして、図４Ｂに表されていない部分については、Ａ面側からＢ面側に遷移するにつれて徐々にその断面積が厚くなるように成型されている。
【００３４】
このようなラケット２０１によれば、フレーム２１０のＡ面側におけるキャップ２５０の断面形状と、フレーム２１０のＢ面側におけるキャップ２５０の断面形状と、をフレーム２１０の面に対して非対称とするので、シャフト２２０を支持するキャップ２５０の剛性もフレーム２１０のＡ面側とフレーム２１０のＢ面側とでフレーム２１０の面に対して非対称にすることができる。このため、Ａ面側でシャトルを打つように振り抜くときとＢ面側でシャトルを打つように振り抜くときとで、シャフト２２０自体の変形量を異ならせることができる。
【００３５】
具体的に比較すると、Ｂ面側からシャフト２２０を変形させＡ面側にシャフト２２０をしならせた場合の方が、Ａ面側からシャフト２２０を変形させＢ面側にシャフト２２０をしならせた場合よりもよくしなる（大きく変形する）。
【００３６】
よって、シャトルの速度を殺して、はじくように打ちたい場合にはラケット２０１のＡ面側でシャトルを打つ。Ａ面側でシャトルを打つようにラケット２０１を振ると、シャフト２２０が小さく変形する。変形量が小さい分、ラケット１によるシャトルに対する打力が小さいので、シャトルの勢いを殺すように打つことができる。
【００３７】
一方、スマッシュ等のようにシャトルの速度を増すようにして打ちたい場合には、ラケット２０１のＢ面側でシャトルを打つ。Ｂ面側でシャトルを打つようにラケット２０１を振ると、シャフト２２０が大きく変形する。変形量が大きい分、ラケット１によるシャトルに対する打力が大きくなるので、シャトルの勢いを増すように打つことができる。
【００３８】
以上の説明では、キャップ２５０の断面形状を非対称にする場合について説明を行ったが、このように断面形状を非対称にしつつ、さらに、前述の第１実施形態のように切り欠きを有するキャップを採用することとしてもよい。
【００３９】
＝＝＝第３実施形態＝＝＝
図５は、第３実施形態におけるキャップ３５０の拡大図である。第３実施形態では、第１実施形態のラケット１の各部位の符号に３００番台の番号を付すこととして説明を行う。
【００４０】
図５には、キャップ３５０のＡ面側における切り欠き部の下方部分３５０ａと、キャップ３５０のそれ以外の部分（便宜上、「Ｂ面側の部分」ということがある）３５０ｂが示されている。図５では、キャップ３５０が前述の第１実施形態と同様の形状を有しているが、さらに、キャップ３５０を構成する材質がＡ面側における切り欠き部の下方部分３５０ａとＢ面側の部分３５０ｂとで異ならせてある。すなわち、フレーム３１０のＡ面側におけるキャップ３５０の材料の配置と、フレーム３１０のＢ面側におけるキャップ３５０の材料の配置と、をフレーム３１０の面に対して非対称としている。このように、フレーム３１０のＡ面側におけるキャップ３５０の材料の配置と、フレーム３１０のＢ面側におけるキャップ３５０の材料の配置と、をフレーム３１０の面に対して非対称にすることには、ラケット１０の側面視において、Ａ面側とＢ面側とで異なる材料を採用することも含む。
【００４１】
使用されるキャップ３５０の材料には、後述する第４実施形態において示された表１の材料を選択することができる。そして、Ａ面側における切り欠き部の下方部分３５０ａよりもＢ面側の部分３５０ｂの方により硬い材料を採用する。例えば、Ａ面側における切り欠き部の下方部分３５０ａには、６６ナイロンを採用し、Ｂ面側の部分３５０ｂには、ポリカーボネイトを採用する。
【００４２】
このようにすることで、シャフト３２０を支持するキャップ３５０において、Ａ面側の剛性よりもＢ面側の剛性をさらに高くすることができる。そして、前述の第１実施形態で示した変形量の差をより大きくすることができる。そして、Ａ面側で打つときとＢ面側で打つときとでシャトルに対する打力をより異ならせることができる。
【００４３】
なお、このように、キャップ３５０を構成する材料の配置を非対称としつつ、前述の第２実施形態のように断面形状を非対称にすることとしてもよい。
【００４４】
＝＝＝第４実施形態＝＝＝
図６は、第４実施形態におけるキャップ４５０の側面図である。なお、第４実施形態では、第１実施形態のラケット１の各部位の符号に４００番台の番号を付すこととして説明を行う。図６には、キャップ４５０におけるＡ面側の部分４５０ａとキャップ４５０におけるＢ面側の部分４５０ｂとが示されている。
【００４５】
図６に示されるように、第４実施形態においてキャップ４５０の断面形状は、フレーム１０の面に対して対称の形状を有している。さらに言えば、第４実施形態におけるキャップ４５０は、シャフト４２０の軸方向に軸対象となる形状を有している。
【００４６】
その一方で、第４実施形態では、フレーム４１０のＡ面側におけるキャップ４５０の材料の配置と、フレーム４１０のＢ面側におけるキャップ４５０の材料の配置と、をフレーム４１０の面に対して非対称とすることで、シャフト４２０のしなり具合をＡ面側とＢ面側とで異ならせることとしている。
【００４７】
表１は、第４実施形態において採用され得るキャップの材質の一例を示す図である。表１には、キャップに使用される材料名と、その記号と、さらにその硬さの度合いが示されている。ここでは、概略的に硬さの程度を表すために、「かなり柔らかい」、「柔らかい」、「やや柔らかい」、「標準」、「やや硬い」、「硬い」、「かなり硬い」の７つの簡略化した硬さで示している。なお、硬さとしては、「かなり柔らかい」、「柔らかい」、「やや柔らかい」、「標準」、「やや硬い」、「硬い」、「かなり硬い」の順番で徐々に硬さの度合いが高くなっている。
【００４８】
【表１】
2015023912.tif 000003
【００４９】
ここで使用されるキャップ４５０の材料であるが、具体的には、Ａ面側の部分４５０ａよりもＢ面側の部分４５０ｂにより硬い材料を採用する。例えば、Ａ面側の部分４５０ａには、６６ナイロンを採用し、Ｂ面側の部分４５０ｂには、ポリカーボネイトを採用する。
【００５０】
なお、上記「硬さ」の分類は、概略的なものであり、実際上、材料が異なれば若干ながらもその硬さは異なることになる。よって、上記分類において同程度の硬さとして示されたものであったとしても、Ａ面側の部分４５０ａとＢ面側の部分４５０ｂとで異なる材料を採用することとしてもよい。
【００５１】
このようなラケット４０１によれば、フレーム４１０のＡ面側におけるキャップ４５０の材料の配置と、フレーム４１０のＢ面側におけるキャップ４５０の材料の配置と、をフレーム４１０の面に対して非対称とするので、キャップ４５０に円周を支持されるシャフト４２０自体の変形量をフレーム４１０のＡ面側にしなる場合とフレーム４１０のＢ面側にしなる場合とで異ならせることができる。そして、シャトルをＡ面で打ったときと、Ｂ面側で打ったときとで、打力を異ならせることができる。
【００５２】
具体的に比較すると、Ｂ面側からシャフト４２０を変形させＡ面側にシャフト４２０をしならせた場合の方が、Ａ面側からシャフト４２０を変形させＢ面側にシャフト４２０をしならせた場合よりもよくしなる（大きく変形する）。
【００５３】
よって、シャトルの速度を殺して、はじくように打ちたい場合にはラケット４０１のＡ面側でシャトルを打つ。Ａ面側でシャトルを打つようにラケット４０１を振ると、シャフト４２０が小さく変形する。変形量が小さい分、ラケット１によるシャトルに対する打力が小さいので、シャトルの勢いを殺すように打つことができる。
【００５４】
一方、スマッシュ等のようにシャトルの速度を増すようにして打ちたい場合には、ラケット４０１のＢ面側でシャトルを打つ。Ｂ面側でシャトルを打つようにラケット４０１を振るとシャフト４２０が大きく変形する。変形量が大きい分、ラケット１によるシャトルに対する打力が大きくなるので、シャトルの勢いを増すように打つことができる。
【００５５】
なお、第４実施形態において、キャップ４５０に採用される材料の配置を、Ａ面側とＢ面側とで対称となるように配置したが、実施形態はこれに限られない。また、採用される材料の種類についても２種類には限られない。
【００５６】
＝＝＝その他の実施形態＝＝＝
上記の実施形態は、本発明の理解を容易にするためのものであり、本発明を限定して解釈するためのものではない。本発明は、その趣旨を逸脱することなく、変更、改良され得るとともに、本発明にはその等価物が含まれるのはいうまでもない。例えば、キャップのＢ面側に補強剤を入れるなどすることも本発明の等価物である。
【００５７】
＜ラケット＞
上記の実施形態においては、バドミントンラケットを例に挙げて説明したが、これに限定されるものではない。たとえば、テニスやスカッシュ等のラケットにも適用することができる。
【００５８】
また、上記実施形態では、ストリング４０が張られている状態のバドミントンラケット１を例として説明したが、バドミントンラケット１本体としては、ストリングが張られていない状態のものも本技術的思想に含まれる。
【符号の説明】
【００５９】
１  ラケット、
１０  フレーム、２０  シャフト、３０  グリップ、
４０  ストリング、５０  グリップ
【図１】
2015023912.tif 000004
【図２】
2015023912.tif 000005
【図３】
2015023912.tif 000006
【図４】
2015023912.tif 000007
【図５】
2015023912.tif 000008
【図６】
2015023912.tif 000009